(57)【特許請求の範囲】
【請求項１】
感光体ドラムに画像データに応じた露光を行なう露光装置であって、
発光素子を有する複数の画素がライン状に配列され、前記感光体ドラムに前記画像データに応じた露光を行なう発光素子アレイと、
前記発光素子アレイによって前記感光体ドラムに１ラインを露光する１ライン時間を、前記１ライン時間に対する前記発光素子アレイの前記発光素子の点灯時間の割合を示すデューティ比が第１の値に設定された第１の分割期間と、前記デューティ比が第１の値より小さい第２の値に設定された第２の分割期間と、に分割し、前記画像データを前記各分割期間の前記デューティ比に応じて分割して、前記第１の分割期間に対応する第１の分割画像データと前記第２の分割期間に対応する第２の分割画像データとを生成する画像データ処理部と、
前記第１の分割画像データに対応した電流値を有する第１の駆動電流を生成して前記第１の分割期間に前記発光素子アレイに供給し、前記第２の分割画像データに対応した電流値を有する第２の駆動電流を生成して前記第２の分割期間に前記発光素子アレイに供給する駆動信号生成回路と、
を備え、
前記発光素子アレイにおける前記複数の画素は、所定数の前記画素毎の複数の画素群に分割され、該各画素群の前記各画素が、並行して時分割駆動され、
前記画像データ処理部は、前記発光素子が前記第１の分割期間に前記第１の駆動電流に応じた輝度で前記第１の値のデューティ比に応じた時間だけ点灯したときに前記感光体ドラムに供給される第１の光エネルギーと、前記発光素子が前記第２の分割期間に前記第２の駆動電流に応じた輝度で前記第２の値のデューティ比に応じた時間だけ点灯したときに前記感光体ドラムに供給される第２の光エネルギーと、の合計が、前記画像データに対応して前記発光素子を前記１ライン時間中に発光させときに前記感光体ドラムに供給される光エネルギーに等しくなる値に、前記第１及び第２の分割画像データの値を設定し、前記画像データの階調値が所定の第１の階調値より低いときに前記第１の分割画像データを前記第１の駆動電流の電流値をゼロにする値に設定し、前記画像データの階調値が所定の第２の階調値より高いときに前記第２の分割画像データを前記第２の駆動電流の電流値をゼロにする値に設定することを特徴とする露光装置。
【請求項２】
前記第１の分割画像データ及び前記第２の分割画像データの少なくともいずれか一方がゼロに設定されることを特徴とする請求項１記載の露光装置。
【請求項３】
画像データに応じた印刷を行なう画像形成装置であって、
感光体ドラムと、
発光素子を有する複数の画素がライン状に配列され、感光体ドラムに前記画像データに応じた露光を行なう発光素子アレイと、
前記発光素子アレイによって前記感光体ドラムに１ラインを露光する１ライン時間を、前記１ライン時間に対する前記発光素子アレイの前記発光素子の点灯時間の割合を示すデューティ比が第１の値に設定された第１の分割期間と、前記デューティ比が第１の値より小さい第２の値に設定された第２の分割期間と、に分割し、前記画像データを前記各分割期間の前記デューティ比に応じて分割して、前記第１の分割期間に対応する第１の分割画像データと前記第２の分割期間に対応する第２の分割画像データとを生成する画像データ処理部と、
前記第１の分割画像データに対応した電流値を有する第１の駆動電流を生成して前記第１の分割期間に前記発光素子アレイに供給し、前記第２の分割画像データに対応した電流値を有する第２の駆動電流を生成して前記第２の分割期間に前記発光素子アレイに供給する駆動信号生成回路と、
を備え、
前記画像データ処理部は、前記発光素子が前記第１の分割期間に前記第１の駆動電流に応じた輝度で前記第１の値のデューティ比に応じた時間だけ点灯したときに前記感光体ドラムに供給される第１の光エネルギーと、前記発光素子が前記第２の分割期間に前記第２の駆動電流に応じた輝度で前記第２の値のデューティ比に応じた時間だけ点灯したときに前記感光体ドラムに供給される第２の光エネルギーと、の合計が、前記画像データに対応して前記発光素子を前記１ライン時間中に発光させときに前記感光体ドラムに供給される光エネルギーに等しくなる値に、前記第１及び第２の分割画像データの値を設定し、前記画像データの階調値が所定の第１の階調値より低いときに前記第１の分割画像データを前記第１の駆動電流の電流値をゼロにする値に設定し、前記画像データの階調値が所定の第２の階調値より高いときに前記第２の分割画像データを前記第１の駆動電流の電流値をゼロにする値に設定することを特徴とする画像形成装置。
【請求項４】
前記第１の分割画像データ及び前記第２の分割画像データの少なくともいずれか一方がゼロに設定されることを特徴とする請求項３記載の画像形成装置。
【発明の詳細な説明】
【技術分野】
【０００１】
本発明は、電子写真方式の露光装置及びこの露光装置を備える画像形成装置に関する。
【背景技術】
【０００２】
電子写真方式等の画像形成装置（プリンタ装置）においては、画像形成のための露光装置を有している。近年、この露光装置の光源として、有機ＥＬ素子等の発光素子を利用する試みが各種なされている。このような発光素子を各画素に用いた画像表示装置では、画素を選択するとともに発光素子用の駆動電流を発光素子に供給するための複数のトランジスタや、駆動電流を保持するための保持コンデンサ等が各画素毎に設けられている。例えば、特許文献１には、このような構成の表示装置が開示されている。（特許文献１）
この種の表示回路での具体的な動作の概要を説明する。選択用トランジスタによって選択される期間、画像データの階調に応じた駆動電流が駆動用トランジスタのドレイン・ソース間に流れることで、駆動用トランジスタのゲート・ソース間に接続された保持用コンデンサに駆動電流に応じた階調データが書込まれる。選択用トランジスタがオフした後、保持用コンデンサには画像データの階調に対応した信号電荷が書込まれているため、これを表示期間中保持することで、この信号電荷に応じた電流が駆動用トランジスタから画素表示素子に供給されて点灯し、所望の表示輝度での表示が実行される。
【特許文献１】特開２００３−０４３９９５号公報
【発明の開示】
【発明が解決しようとする課題】
【０００３】
前述した電流駆動型の表示回路では、電流駆動出力により画素回路内の電荷保持用コンデンサに画像データの階調に対応した電荷を充電する。そのため、特に低階調で駆動電流が微小な電流値となるときには、電荷保持用コンデンサに駆動電流に対応する電荷を充電するために必要な時間が長くなる。このため、このような表示回路を画像形成装置に用いた場合には、高階調での点灯時に比して低階調時の充電時間が長くなり、このことが結果的に印刷装置の光学露光装置として印刷速度を低下させる要因の１つとなる。
【０００４】
本発明は前記のような実情に鑑みてなされたもので、その目的とするところは、印刷する画像データの階調の高低に関係なく常に画素回路への充電に要する時間を短縮化し、印刷装置での高い印刷速度を実現することが可能な露光装置及びこの露光装置を備える画像形成装置を提供することにある。
【課題を解決するための手段】
【０００５】
請求項１記載の発明は、感光体ドラムに画像データに応じた露光を行なう露光装置であって、発光素子を有する複数の画素がライン状に配列され、前記感光体ドラムに前記画像データに応じた露光を行なう発光素子アレイと、前記発光素子アレイによって前記感光体ドラムに１ラインを露光する１ライン時間を、前記１ライン時間に対する前記発光素子アレイの前記発光素子の点灯時間の割合を示すデューティ比が第１の値に設定された第１の分割期間と、前記デューティ比が第１の値より小さい第２の値に設定された第２の分割期間と、に分割し、前記画像データを前記各分割期間の前記デューティ比に応じて分割して、前記第１の分割期間に対応する第１の分割画像データと前記第２の分割期間に対応する第２の分割画像データとを生成する画像データ処理部と、前記第１の分割画像データに対応した電流値を有する第１の駆動電流を生成して前記第１の分割期間に前記発光素子アレイに供給し、前記第２の分割画像データに対応した電流値を有する第２の駆動電流を生成して前記第２の分割期間に前記発光素子アレイに供給する駆動信号生成回路と、を備え、前記発光素子アレイにおける前記複数の画素は、所定数の前記画素毎の複数の画素群に分割され、該各画素群の前記各画素が、並行して時分割駆動され、前記画像データ処理部は、前記発光素子が前記第１の分割期間に前記第１の駆動電流に応じた輝度で前記第１の値のデューティ比に応じた時間だけ点灯したときに前記感光体ドラムに供給される第１の光エネルギーと、前記発光素子が前記第２の分割期間に前記第２の駆動電流に応じた輝度で前記第２の値のデューティ比に応じた時間だけ点灯したときに前記感光体ドラムに供給される第２の光エネルギーと、の合計が、前記画像データに対応して前記発光素子を前記１ライン時間中に発光させときに前記感光体ドラムに供給される光エネルギーに等しくなる値に、前記第１及び第２の分割画像データの値を設定し、前記画像データの階調値が所定の第１の階調値より低いときに前記第１の分割画像データを前記第１の駆動電流の電流値をゼロにする値に設定し、前記画像データの階調値が所定の第２の階調値より高いときに前記第２の分割画像データを前記第２の駆動電流の電流値をゼロにする値に設定することを特徴とする。
【００１０】
請求項２記載の発明は、前記請求項１記載の発明において、前記第１の分割画像データ及び前記第２の分割画像データの少なくともいずれか一方がゼロに設定されることを特徴とする。
【００１１】
請求項３記載の発明は、画像データに応じた印刷を行なう画像形成装置であって、感光体ドラムと、発光素子を有する複数の画素がライン状に配列され、感光体ドラムに前記画像データに応じた露光を行なう発光素子アレイと、前記発光素子アレイによって前記感光体ドラムに１ラインを露光する１ライン時間を、前記１ライン時間に対する前記発光素子アレイの前記発光素子の点灯時間の割合を示すデューティ比が第１の値に設定された第１の分割期間と、前記デューティ比が第１の値より小さい第２の値に設定された第２の分割期間と、に分割し、前記画像データを前記各分割期間の前記デューティ比に応じて分割して、前記第１の分割期間に対応する第１の分割画像データと前記第２の分割期間に対応する第２の分割画像データとを生成する画像データ処理部と、前記第１の分割画像データに対応した電流値を有する第１の駆動電流を生成して前記第１の分割期間に前記発光素子アレイに供給し、前記第２の分割画像データに対応した電流値を有する第２の駆動電流を生成して前記第２の分割期間に前記発光素子アレイに供給する駆動信号生成回路と、を備え、前記画像データ処理部は、前記発光素子が前記第１の分割期間に前記第１の駆動電流に応じた輝度で前記第１の値のデューティ比に応じた時間だけ点灯したときに前記感光体ドラムに供給される第１の光エネルギーと、前記発光素子が前記第２の分割期間に前記第２の駆動電流に応じた輝度で前記第２の値のデューティ比に応じた時間だけ点灯したときに前記感光体ドラムに供給される第２の光エネルギーと、の合計が、前記画像データに対応して前記発光素子を前記１ライン時間中に発光させときに前記感光体ドラムに供給される光エネルギーに等しくなる値に、前記第１及び第２の分割画像データの値を設定し、前記画像データの階調値が所定の第１の階調値より低いときに前記第１の分割画像データを前記第１の駆動電流の電流値をゼロにする値に設定し、前記画像データの階調値が所定の第２の階調値より高いときに前記第２の分割画像データを前記第１の駆動電流の電流値をゼロにする値に設定することを特徴とする。
【００１５】
請求項４記載の発明は、前記請求項３記載の発明において、前記第１の分割画像データ及び前記第２の分割画像データの少なくともいずれか一方がゼロに設定されることを特徴とする。
【発明の効果】
【００１６】
本発明によれば、印刷する画像データの階調の高低に関係なく常に画素回路への充電に要する時間を短縮化し、印刷装置での高い印刷速度を実現することが可能となる。
【発明を実施するための最良の形態】
【００１７】
以下図面を参照して、本発明の一実施形態に係る露光装置及び画像形成装置（印刷装置）について説明する。  
図１は、本実施形態に係る露光装置を用いた画像形成装置の構成例を示す図である。同図で画像形成装置は、感光体ドラム１、ケース部２Ａ及びロッドレンズアレイ部２Ｂが一体的に設けられた露光装置２、帯電ローラ３、イレーサ光源感光体４、クリーニング部材５、現像ローラ６ａを含む現像器６、転写ローラ８、定着ローラ９、及び搬送ベルト１１を具備して、電子写真方式により画像形成（印刷）を行なうものである。なお、符号７が付されているのは印刷用紙７である。
【００１８】
前記露光装置２を構成するロッドレンズアレイ部２Ｂは、例えばセルフォック（登録商標）レンズを一列、または複数の列に配列させたレンズアレイであり、入射された光を等倍正立像として感光体ドラム１に結像するレンズ部である。
【００１９】
前記感光体ドラム１は、負帯電型ＯＰＣ（Ｏｒｇａｎｉｃ  Ｐｈｏｔｏ  Ｃｏｎｄｕｃｔｏｒ）感光体（有機感光体）であり、これに対応して帯電ローラ３が負帯電器とされる。また、前記露光装置２は、詳しくは後述するが、複数の発光素子がアレイ状に配列された発光素子アレイを有して構成されている。
【００２０】
前記図１に示す画像形成装置では、大まかに以下のような工程により印刷が行なわれる。まず、前記帯電ローラ３が回転する感光体ドラム１の表面に接触することにより、感光体ドラム１の接触した表面が一様に負電位となるように帯電される。
【００２１】
続いて、前記露光装置２によって前記感光体ドラム１に対して光照射がなされ、感光体ドラム１上に静電潜像が形成される。その後、前記現像器６によって、前記静電潜像にトナーが付着される。そして、前記転写ローラ８によって、前記静電潜像に付着しているトナーが前記印刷用紙７に転写される。
【００２２】
以下、このような印刷工程を詳細に説明する。  
まず、感光体ドラム１には、図示しない帯電用電源から供給されるマイナス高電圧が前記帯電ローラ３によって印加される。これにより感光体ドラム１における周表面は一様に負帯電され、電位的に初期化された初期化帯電状態となる。
【００２３】
そして、周表面が初期化帯電状態となった感光体ドラム１に対し、前記露光装置２によって印字情報に従った光書込み（露光）が行なわれる。これにより、初期化帯電によるマイナス高電位部と、露光による例えば−５０［Ｖ］程度のマイナス低電位部とからなる静電潜像が、感光体ドラム１の周表面上に形成される。
【００２４】
ここで、前記現像器６内に収容されている弱いマイナス電位に帯電したトナーが、前記現像ローラ６ａによって、現像ローラ６ａと感光体ドラム１との対向部に回転搬送される。このとき、現像ローラ６ａは、図示しない電源から例えば−２５０［Ｖ］程度の現像バイアス電圧が印加される。
【００２５】
したがって、−２５０［Ｖ］の現像バイアス電圧が印加された現像ローラ６ａと、感光体ドラム１における静電潜像の−５０［Ｖ］程度のマイナス低電位部との間に２００［Ｖ］程度の電位差が形成される。
【００２６】
これらの静電潜像における現像電圧との電位差により、現像ローラ６ａに対して相対的にプラス極性の電位となった静電潜像におけるマイナス低電位部には、マイナス極性に帯電しているトナーが転移してトナー像が形成される。このトナー像は、感光体ドラム１の回転によって、感光体ドラム１と転写ローラ８とが対向している転写部へと搬送される。
【００２７】
なお、前述したようにして形成されたトナー像におけるトナー付着量、すなわち現像された画像の濃度は、露光装置２の発光素子による感光体ドラム１への露光量に応じて生じる感光体ドラム１の周表面上における電位の減衰量によって決定される。
【００２８】
次いで、前述したようにトナー像が転写部へ搬送されると、搬送ベルト１１によって印刷用紙７が転写部へ搬送される。そして、転写部においては、トナー像が印刷用紙７上に、転写ローラ８によって転写される。
【００２９】
このようにしてトナー像が転写された印刷用紙７が搬送ベルト１１によりさらに下流に搬送され、トナー像が定着ローラ９によって熱定着された後、印刷用紙７は当該画像形成装置の外部へ排出される。
【００３０】
また、トナー像が印刷用紙７上に転写された後、感光体ドラム１の周表面からクリーニング部材５により残留トナーが除去され、さらにイレーサ光源感光体４によって一様に０(ゼロ)［Ｖ］に除電されて、帯電ローラ３への帯電に備えられる。
【００３１】
なお、前記露光装置２における前記ケース部２Ａ内には、図１に示す感光体ドラム１への露光走査の主走査方向である感光体ドラム１の軸方向に沿って、有機ＥＬ素子からなる発光素子を有する多数の画素がライン状に配列された発光素子アレイが設けられる。
【００３２】
図２は、前記ケース部２Ａ内に設けられる露光ヘッド部の構成を示すものである。同図では、説明を簡略化するために露光ヘッド基板における発光素子アレイが全２４画素で構成されるものとして説明するが、実際の露光ヘッド基板は、前述した如く、例えば印字解像度が１２００［ｄｐｉ］でＡ４の用紙（長辺２９７［ｍｍ］）に対応した印刷装置であれば、およそ１４，０００画素の構成となる。
【００３３】
同図で露光装置２のケース部２Ａ内には、印刷すべき画像データが与えられるデータ解析・タイミング制御部（画像データ処理部）２０、データドライバ（駆動信号生成回路）２１、セレクト生成部２２、露光ヘッド基板２３、及びアノード生成部２４を備える。露光ヘッド基板２３には、隣接する４画素ずつで分割した計６つの画素群ａ１〜ａ４，ｂ１〜ｂ４，‥‥，ｆ１〜ｆ４が配置される。
【００３４】
画像データに合わせた露光を行なう場合、データ解析・タイミング制御部２０は、ここでは図示しないラスタイメージプロセッサからの画像データと用紙サイズ及び搬送速度に合わせた水平制御信号ＨＳＹＮＣ、及び垂直制御信号を受信し、それらの制御信号に合わせてデータドライバ２１にデータ転送を行なう。
【００３５】
データドライバ２１は、データ解析・タイミング制御部２０からのデータ伝送に合わせて各画素のオンオフ及び画像データに応じた階調信号に基づく電流値を有する複数の駆動電流Ｉｄｒｖａ〜Ｉｄｒｖｆを生成して露光ヘッド基板２３に供給する。
【００３６】
また、セレクト生成部２２は、データ解析・タイミング制御部２０からの制御信号に合わせて画素を選択状態とするための複数の選択信号（Ｓｅｌｅｃｔ１〜Ｓｅｌｅｃｔ４）を生成して露光ヘッド基板２３に供給する。
【００３７】
一方、アノード生成部２４もデータ解析・タイミング制御部２０からの制御信号に合わせて画素を点灯状態とするための複数の保持信号（Ａｎｏｄｅ１〜Ａｎｏｄｅ４）を生成して露光ヘッド基板２３に供給する。  
さらに前記データ解析・タイミング制御部２０は、後述する如く露光ヘッド基板２３の各画素に対してリセット信号を生成して送出する。
【００３８】
図３は、前記図２に示す露光ヘッド基板２３の等価回路である。また、図４は、本発明の効果を説明するための、比較対象としての駆動タイミングチャートである。  
図３は、前記図２に示す露光ヘッド基板２３上の画素群ａ〜ｆのうち、４つの画素ａ１〜ａ４からなる画素群ａと、４つの画素ｂ１〜ｂ４からなる画素群ｂの一部（画素ｂ１、ｂ２）とを示している。
【００３９】
各画素は、例えば、薄膜トランジスタで構成され、画素の選択用スイッチとしての選択トランジスタ３３と、発光素子としての有機ＥＬ素子３４と、薄膜トランジスタで構成され、前記有機ＥＬ素子３４駆動用の駆動トランジスタ３１と、薄膜トランジスタで形成された保持トランジスタ３０と、画素の表示輝度に対応した信号電荷を保持するための保持コンデンサ３２とを具備して構成される。
【００４０】
図３に示す露光ヘッド基板２３においては、各駆動電流が印加される複数の駆動信号線と、各選択信号が印加される複数の選択信号線と、各保持信号が印加される複数の保持信号線とを有する。
【００４１】
各選択信号線に印加される選択信号がハイレベルとされる画素の選択期間に、データドライバ２１から階調信号に基づく電流値を有する駆動電流Ｉｄｒｖａ〜Ｉｄｒｖｆが各駆動信号線に流され、選択トランジスタ３３を介して駆動トランジスタ３１に流されて、駆動トランジスタ３１の電流路に流れる電流に対応した電荷が保持コンデンサ３２に蓄積される。
【００４２】
そして、選択信号がローレベルとされ、保持信号線に印加される保持信号がハイレベルとされる保持期間に、保持コンデンサ３２に蓄積された電荷に応じた電流が駆動トランジスタ３１から有機ＥＬ素子３４に供給され、この電流の電流値に応じた輝度で有機ＥＬ素子３４が点灯するように構成される。
【００４３】
また、各駆動信号線にリセットトランジスタ３５，３６が設けられ、選択期間の初期にリセットトランジスタ３５，３６をオンにして保持コンデンサ３２に充電された電荷を放電させるように構成される。
【００４４】
図４に示す水平制御信号ＨＳＹＮＣは印刷装置の主走査方向の同期信号であり、アクティブ〜アクティブ期間が感光体ドラム１上に１ラインが露光されるのに許されるドット形成処理時間（１ライン時間）となる。例えば印字解像度が主走査方向、搬送方向共に１２００［ｄｐｉ］、印字速度４０［枚／分］、用紙間５０［ｍｍ］でＡ４横サイズの光源ユニットを用いるとすると、１ライン時間は、  
((25.4mm/1200dpi)/(210mm×40枚＋50mm×40枚))/60  
≒１２２［μ秒］となる。
【００４５】
なお、露光装置２における発光素子アレイは、複数の発光素子が一列に配列された構成を有するものや、複数の発光素子が２列以上に千鳥配列されたもの等、種々の形態を有し、それに対応して、発光素子アレイによって感光体ドラム１上に露光される形状も、発光素子アレイにおける複数の発光素子の配列に対応した形状となり、感光体ドラム１上に露光される１ラインは、露光されたドットが１列に並んだものだけではなく、例えば露光されたドットが千鳥状に並んでいるが、見かけ上、１ラインに見えるもの等を含むものである。
【００４６】
データドライバ２１は、水平制御信号ＨＳＹＮＣがアクティブ〜アクティブである期間（１ライン時間）に、前記感光体ドラム１を露光して潜像を形成するのに必要な光エネルギーが得られるように、各画素を駆動して所定の時間発光させる。
【００４７】
発光時間を１ライン時間に対して十分に短い時間とすれば、１ライン時間中に各画素を複数回発光させることが可能で、配列された画素を時分割で発光させることがコスト、及び実装上の観点から望ましい。
【００４８】
その場合、前記図２，図３に示した如く１本のデータドライバ２１からの出力で複数の画素３４のアノードと接続し、同カソード側をセレクト生成部２２で生成する選択信号Ｓｅｌｅｃｔ１〜Ｓｅｌｅｃｔ４を１ライン時間内でシフトする。
【００４９】
前記図２では、一例としてデータドライバ２１が１本の駆動信号線Ｉｄｒｖａで画素群ａの４つの画素ａ１〜ａ４を駆動し、露光ヘッド基板２３への供給ラインをＩｄｒｖａ〜Ｉｄｒｖｆの計６本としているが、本発明はこの限りではない。
【００５０】
同様に、セレクト生成部２２から露光ヘッド基板２３への選択信号線Ｓｅｌｅｃｔ１〜Ｓｅｌｅｃｔ４と、アノード生成部２４から露光ヘッド基板２３への保持信号線Ａｎｏｄｅ１〜Ａｎｏｄｅ４も各画素群の４つの画素に対して４本ずつ出力するものとしているが、本発明はこの限りではない。
【００５１】
したがって、露光ヘッド基板２３は、水平方向（走査方向）に各画素が一列に２４（＝４×６）画素形成される。実際の有機ＥＬを用いた露光ヘッド基板２３では、一列あるいは複数列に用紙サイズ分の画素素子を形成する。
【００５２】
図４は、前記のような回路構成を一般的な駆動方法で制御する場合の制御タイミングを示す。選択信号Ｓｅｌｅｃｔ１が“Ｈ”レベルの期間で各画素群中の画素ａ１，ｂ１，‥‥，ｆ１の回路に階調データに対応した、Ｉｄｒｖａ〜Ｉｄｒｖｆ＝Ｉａ１〜Ｉｆ１の電流で信号電荷が保持コンデンサ３２に書込まれる。この保持コンデンサ３２に書込まれた信号電荷に応じた電流が駆動トランジスタ３１から有機ＥＬ素子３４に供給されることで、保持信号Ａｎｏｄｅ１が“Ｈ”レベルである期間中、有機ＥＬ素子３４が点灯する。
【００５３】
同様に、選択信号Ｓｅｌｅｃｔ２が“Ｈ”レベルの期間で各画素群中の画素ａ２，ｂ２，‥‥，ｆ２が、選択信号Ｓｅｌｅｃｔ３が“Ｈ”レベルの期間で各画素群中の画素ａ３，ｂ３，‥‥，ｆ３が、選択信号Ｓｅｌｅｃｔ４が“Ｈ”レベルの期間で各画素群中の画素ａ４，ｂ４，‥‥，ｆ４が、それぞれ階調データに応じた電流がデータドライバ２１から出力されて、その後の各保持信号Ａｎｏｄｅ２〜４が“Ｈ”レベルである期間、それぞれ対応する画素として点灯する。
【００５４】
以下に、前記の図４に示した、一般的な駆動方法における不具合を説明する。  
画像データの内容が低階調である場合、データドライバ２１からの各画素回路への駆動電流は、高階調時の駆動電流の電流値に比して小さな電流値となる。そのため、保持コンデンサ３２に書込まれる信号電荷が当該低階調時の駆動電流に対応した値へ達するまでの時間が、高階調の場合に比して長いものとなる。このため、保持コンデンサ３２に書込まれる信号電荷を低階調時においても正確に画像データの階調に対応した値となるようにするためには、１ライン時間を比較的長い時間に設定しておく必要があり、これによって、全体のスループットを低下させてしまうという不具合を生じる。
【００５５】
あるいは、スループットを優先した場合、設定された１ライン時間では、低階調時において、保持コンデンサ３２への書き込み時間が、当該低階調に対応した信号電荷を書き込むために必要な時間より短くなり、そのために画像データの階調に応じた信号電荷が書き込めず、画像データの階調に正確に対応した印刷が行えないという不具合を生じることがある。
【００５６】
前記のような不具合を解決する、本発明における駆動方法について、以下に説明する。  
図５は、前記図２、図３で示した回路構成を本発明の一実施形態に係る駆動方法で制御する場合の制御タイミングを示す。  
ここで前記データ解析・タイミング制御部２０は、感光体ドラム１を露光して形成する潜像に必要な光エネルギーを得るべく、１画素での点灯を１ライン時間内で複数の分割期間に分割して駆動制御する。すなわち、有機ＥＬ素子３４の点灯輝度と点灯時間とをそれぞれ、データドライバ２１に転送するデータを、各分割期間の、後述するデューティ比の割合に応じた駆動電流となるように、元の画像データを各分割期間に対応して分割した分割画像データを演算して生成する機能を有するものとする。この図５では、一例として１ライン時間を前後２分割し、前半をファースト期間（第１分割期間）、後半をセカンド期間（第２分割期間）とした場合を示す。
【００５７】
図６は、参照例として、先に示した印字解像度が主走査方向、搬送方向共に１２００［ｄｐｉ］、印字速度４０［枚／分］、用紙間５０［ｍｍ］でＡ４横サイズに対応した光源ユニットで、感光体ドラム１の光感度を０．３［μＪ／ｃｍ2］、有機ＥＬ素子３４の効率を２．２［ｃｄ／Ａ］、感光体ドラム１表面上に結像させる目的で露光ユニット内に備えるレンズアレイの光伝達度を６［％］、画素の階調レベルを９階調とした場合の、従来の一般的な駆動方法による、階調レベルに対する画素形成に必要な駆動電流の電流値を、１ライン時間に対する点灯時間の割合からなるデューティ比が５％、２０％、４０％の３種類の場合について示したものである。
【００５８】
同図に示す如く、低階調時の駆動電流は、デューティ比の値が高い（４０％）ほど、すなわち１ライン時間内の発光時間が長いほど、電流値が小さくなる。また、デューティ比の値が低い（５％）ほど、すなわち１ライン時間内の発光時間が短いほど、高階調時の電流値が大きくなる。
【００５９】
これに対して、図７は、本実施形態における、階調レベルに対する駆動電流の関係の一例を示す。前記図５で示したように１ライン時間をファースト期間とセカンド期間とに２分割し、且つファースト期間とセカンド期間とで同期間内での点灯時間の割合（デューティ比）を異なるように設定して、低階調時においても駆動電流が比較的大きい電流値となるようにしたものである。
【００６０】
図７（Ａ）は、ファースト期間のデューティ比を２０［％］、セカンド期間のデューティ比を５［％］とした場合の、階調レベルに対する駆動電流の関係を示したものである。この図７（Ａ）における設定はファースト期間とセカンド期間の少なくともいずれか一方の駆動電流が０（ゼロ）［μＡ］となるようにして、一方の分割期間でのみ点灯駆動を行なうようにしたものである。
【００６１】
この場合、０［％］（０／８）階調ではファースト期間、セカンド期間共に駆動電流が０（ゼロ）［μＡ］となる。次いで、階調値が低い１２．５０［％］（１／８）階調から３７．５［％］（３／８）階調まではデューティ比の大きいファースト期間での駆動電流を０（ゼロ）［μＡ］とし、デューティ比の小さいセカンド期間での駆動電流を２６［μＡ］乃至７８［μＡ］の範囲で変化させる。
【００６２】
一方、階調値が比較的高い５０［％］（４／８）階調から１００［％］（８／８）階調までは、デューティ比の小さいセカンド期間での駆動電流を０（ゼロ）［μＡ］とし、デューティ比の大きいファースト期間での駆動電流を２６［μＡ］乃至５２［μＡ］の範囲で変化させる。
【００６３】
例えば、１００［％］（８／８）階調時のファースト期間の駆動電流５２［μＡ］に対して、最も低い１２．５０［％］（１／８）階調時のセカンド期間の駆動電流が２６［μＡ］という、充分に大きな値となっており、保持コンデンサ３２への書込みに要する時間を充分に短縮可能であることが容易に理解できる。
【００６４】
これにより画像形成装置におけるスループットを向上させることができるとともに、画像データの階調に正確に対応した、良好な印刷を行なうことができる。
【００６５】
加えて、最大の駆動電流は３７．５［％］（３／８）階調時のセカンド期間の７８［μＡ］であり、この電流値は、図６に示した一般的な駆動方法における。デューティ比が５％のときの最大電流（２０８[μＡ]）より十分に小さく、デューティ比を５％のみとした場合に比して、露光ヘッド基板２３の消費電力を抑えることもできる。
【００６６】
次いで、図７（Ｂ）は、ファースト期間のデューティを４０［％］、セカンド期間のデューティを２０［％］とした場合の、階調レベルに対する駆動電流の関係を示したものである。この図７（Ｂ）における設定は、一部の階調ではファースト期間とセカンド期間の双方で駆動電流を流すようにしたものである。
【００６７】
この場合、０［％］（０／８）階調ではファースト期間、セカンド期間共に駆動電流が０（ゼロ）［μＡ］となる。次いで、階調値が低い１２．５０［％］（１／８）階調から５０［％］（４／８）階調まではデューティ比の小さいセカンド期間での駆動電流を６．５［μＡ］乃至９．７５［μＡ］の範囲で変化させる。
【００６８】
一方、階調値が比較的高い２５［％］（２／８）階調から１００［％］（８／８）階調までは、デューティ比の大きいファースト期間での駆動電流を３．２５［μＡ］乃至２６［μＡ］の範囲で変化させる。
【００６９】
すなわち、２５［％］（２／８）階調から５０［％］（４／８）階調までの３つの階調レベルでは、ファースト期間とセカンド期間の双方で駆動電流を流すようにしている。この場合、低階調時の駆動電流の電流値は、先の図７（Ａ）に示した構成の場合よりは小さくなるが、図６に示した一般的な駆動方法の場合に比して大きくすることができて、保持コンデンサ３２への書込みに要する時間を短縮することが可能である。
【００７０】
さらにこの図７（Ｂ）における構成においては、駆動電流の最大電流が２６[μＡ]であり、先の図７（Ａ）の構成の場合の７８[μＡ]よりもさらに小さくすることができて、露光ヘッド基板２３の消費電力の増加を抑えることもできる。
【００７１】
前述した如く前記図７（Ａ）及び図７（Ｂ）は、ファースト期間とセカンド期間とで同期間内での点灯時間の割合を異なるように設定した場合の駆動電流との関係の一例を示したものであり、それぞれの値について限定するものではない。
【００７２】
しかして前記図５では、前記図７（Ａ）または図７（Ｂ）で点灯時間のデューティと駆動電流値の例を示したように、選択信号Ｓｅｌｅｃｔ１がファースト期間中の“Ｈ”レベルとなる期間で、各画素群中の画素ａ１，ｂ１，‥‥，ｆ１の回路に第１の階調データ（第１の分割画像データ）に対応した信号電荷がデータドライバ２１から与えられ、  
Ｉｄｒｖａ〜Ｉｄｒｖｆ＝Ｉａ’１〜Ｉｆ’１  
の電流で信号電荷が書込まれ、これら信号電荷に応じた電流が駆動トランジスタ３１から有機ＥＬ素子３４に供給されることで、保持信号Ａｎｏｄｅ１が“Ｈ”レベルである期間中、対応する画素の有機ＥＬ素子３４が点灯する。
【００７３】
同様に、このファースト期間中、選択信号Ｓｅｌｅｃｔ２が“Ｈ”レベルの期間で各画素群中の画素ａ２，ｂ２，‥‥，ｆ２が、選択信号Ｓｅｌｅｃｔ３が“Ｈ”レベルの期間で各画素群中の画素ａ３，ｂ３，‥‥，ｆ３が、選択信号Ｓｅｌｅｃｔ４が“Ｈ”レベルの期間で各画素群中の画素ａ４，ｂ４，‥‥，ｆ４が、それぞれ第１の階調データ（第１の分割画像データ）に応じた電流がデータドライバ２１から出力されて、その後の各保持信号Ａｎｏｄｅ２〜４が“Ｈ”レベルである期間、それぞれ対応する画素として点灯する。
【００７４】
その後、前記ファースト期間に続くセカンド期間で選択信号Ｓｅｌｅｃｔ１が“Ｈ”レベルとなる期間で、各画素群中の画素ａ１，ｂ１，‥‥，ｆ１の回路に第２の階調データ（第２の分割画像データ）に対応した信号電荷がデータドライバ２１から与えられ、  
Ｉｄｒｖａ〜Ｉｄｒｖｆ＝Ｉａ”１〜Ｉｆ”１  
の電流で信号電荷が書込まれ、これら信号電荷に応じた電流がその後に駆動トランジスタ３１から有機ＥＬ素子３４に供給されることで、保持信号Ａｎｏｄｅ１が“Ｈ”レベルである期間中、対応する画素の有機ＥＬ素子３４が点灯する。
【００７５】
同様に、セカンド期間中も、選択信号Ｓｅｌｅｃｔ２が“Ｈ”レベルの期間で各画素群中の画素ａ２，ｂ２，‥‥，ｆ２が、選択信号Ｓｅｌｅｃｔ３が“Ｈ”レベルの期間で各画素群中の画素ａ３，ｂ３，‥‥，ｆ３が、選択信号Ｓｅｌｅｃｔ４が“Ｈ”レベルの期間で各画素群中の画素ａ４，ｂ４，‥‥，ｆ４が、それぞれ第２の階調データ（第２の分割画像データ）に応じた電流がデータドライバ２１から出力されて、その後の各保持信号Ａｎｏｄｅ２〜４が“Ｈ”レベルである期間、それぞれ対応する画素として点灯する。
【００７６】
このように、本実施形態によれば、各画素群毎に設けられた１ライン時間を複数、例えば２つの分割期間に分割して、画素回路の各画素に対する点灯時間のデューティ比を小さく設定した分割期間で低階調時の書込みを行ない、その分だけ駆動電流値を上げるものとしたため、印刷する画像データの階調の高低に関係なく常に画素回路への充電に要する時間を短縮化し、印刷装置での高い印刷速度を実現して、スループットを高めることが可能となる。
【００７７】
加えて前記実施形態では、前記複数に分割した分割期間毎に、各画素群中の各画素に対する点灯時間のデューティ比を異ならせるものとしたので、画像データが低階調である場合にはデューティ比のより小さい分割期間側で画素回路への信号電荷の書込みと発光駆動を行い、高階調である場合にはデューティ比のより大きい分割期間側で画素回路への信号電荷の書込みと点灯とを行なうべく、画像データの階調に対する期間の切換えあるいは組み合わせを予め設定しておくことで、低階調時の駆動電流値を必要な書込み速度が維持できる程度に充分高くし、且つ、高階調時の駆動電流値の上昇を抑えることができて、画素回路の各素子の設計の自由度を高めることができる。
【００７８】
なお、前記実施形態では、１ライン時間をファーストとセカンドの２つの分割期間に分割する場合について説明したが、本発明はこれに限るものではなく、１ライン時間を３つあるいは４以上の分割期間に分割して発光素子である有機ＥＬ素子の発光駆動を行なうものとしてもよい。
【００７９】
また、前記実施形態では、発光素子として有機ＥＬ素子を用いた場合について説明したが、本発明はこれに限らず、発光輝度と発光時間に応じた実効値による駆動制御で露光量を可変設定可能な他の発光素子を用いる場合でも同様に適用可能となる。
【００８０】
その他、本発明は前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８１】
【図１】本発明の一実施形態に係る画像形成装置の構成を示す図。
【図２】同実施形態に係る露光ヘッド部の駆動回路の構成を示す図。
【図３】同実施形態に係る露光ヘッド基板の一部の等価回路の構成を示す図。
【図４】図３の等価回路での一般的な駆動方法を示すタイミングチャート。
【図５】同実施形態に係る図３の等価回路での駆動方法を示すタイミングチャート。
【図６】図４のタイミングチャートでの多階調に応じた駆動電流の関係を示す図。
【図７】同実施形態に係る図５のタイミングチャートでの多階調に応じた駆動電流の関係を示す図。
【符号の説明】
【００８２】
１…感光体ドラム、２…露光装置、２Ａ…ケース部、２Ｂ…ロッドレンズアレイ部、３…帯電ローラ、４…イレーサ光源感光体、５…クリーニング部材、６…現像器、７…印刷用紙、８…転写ローラ、９…定着ローラ、１１…搬送ベルト、２０…データ解析・タイミング制御部、２１…データドライバ、２２…セレクト生成部、２３…露光ヘッド基板、２４…アノード生成部、３０…保持トランジスタ、３１…駆動トランジスタ、３２…保持コンデンサ、３３…選択トランジスタ、３４…有機ＥＬ素子、３５，３６…リセットトランジスタ。
【図１】
0005098725.tif 000002
【図２】
0005098725.tif 000003
【図３】
0005098725.tif 000004
【図４】
0005098725.tif 000005
【図５】
0005098725.tif 000006
【図６】
0005098725.tif 000007
【図７】
0005098725.tif 000008